(57)【要約】【課題】ケーブルの外径を大きくすることなく、ケーブルの耐捻回性を向上させることができ、これによりケーブルの断線を抑制してケーブルの寿命を向上させることができる耐捻回性ケーブルを提供すること。【解決手段】複数の素線を撚り合わせて構成した導体９を用いて、中心層を構成する導体９の周りに複数の導体９を全層同方向に撚り合わせるか、或いは、中心層を構成する導体９と共に複数の導体９を全て同方向に撚り合わせることにより構成した可とう性導体１と、可とう性導体１の上方において複数の金属素線と非金属素線を交織編組することにより構成した遮蔽層５とを備えてなる、耐捻回性ケーブル。【選択図】図１
2011009097.tif 000002
【特許請求の範囲】
【請求項１】
複数の素線を撚り合わせて構成した導体を用いて、中心層を構成する前記導体の周りに複数の前記導体を全層同方向に撚り合わせるか、或いは、中心層を構成する前記導体と共に複数の前記導体を全て同方向に撚り合わせることにより構成した可とう性導体と、前記可とう性導体の上方において複数の金属素線と非金属素線を交織編組することにより構成した遮蔽層とを備えてなることを特徴とする耐捻回性ケーブル。
【請求項２】
前記素線の撚り合わせ方向が、前記導体の撚り合わせ方向と同一方向であることを特徴とする請求項１に記載の耐捻回性ケーブル。
【請求項３】
前記遮蔽層を構成する前記複数の金属素線の編組時の打ち出し角度が、６０°以上であることを特徴とする請求項１又は２に記載の耐捻回性ケーブル。
【発明の詳細な説明】
【技術分野】
【０００１】
本発明は、例えば風力発電設備や旋回クレーンなど捻回部を有する施設において配線して使用して好適な耐捻回性ケーブルに関するものである。
【背景技術】
【０００２】
風力発電設備や旋回クレーンなど捻回部を有する施設において配線して使用されるケーブルにおいては、使用中に外力として張力や繰り返し曲げ応力などと共に捻回が加わることから、所定の引張強度、耐屈曲性と共に耐捻回性が要求される。
【０００３】
これに関連するケーブルとしては、例えば特許文献１にみられるように、ケーブルコアの周上に形成される遮蔽層を、複数の金属素線を撚り合わせて構成した撚り線と綿糸を交織編組することにより構成した、移動用ケーブルがある。
【０００４】
この移動用ケーブルによれば、上記のように遮蔽層を構成する複数の金属素線を撚り線とすることにより、それまでの複数の金属素線を束ねて集合した集合線を用いる場合と比較して、上記応力が特定の金属素線に加わることを緩和し、ケーブルの断線を抑制することができるという効果を有する。
【先行技術文献】
【特許文献】
【０００５】
【特許文献１】特開平１０−３２６５２５号公報
【発明の概要】
【発明が解決しようとする課題】
【０００６】
しかしながら、特許文献１に記載の従来の移動用ケーブルによれば、上記効果を有する一方、遮蔽層を構成する複数の金属素線を撚り線とすることにより遮蔽層の厚さが厚くなり、ケーブルの外径が大きくなるので、配線スペースを広くしなければならないという問題がある。また、この移動用ケーブルによれば、ケーブルの捻回についての対策が不十分である。すなわち、特許文献１には、ケーブルコアの導体構成について何も言及されていないが、ケーブルの捻回に対して有利な可とう性導体を採用する場合には、この可とう性導体として、中心層を構成する導体の周りに複数の導体を何層も撚り合わせて構成した撚り線を採用するのが一般的である。この場合、前記可とう性導体は、例えば中心層を構成する導体の周りの第１層を構成する複数の導体を（中心層に対し）左方向に撚り合わせたとき、その上の第２層を構成する複数の導体を反対の右方向に撚り合わせるというように、第１層及び第２層の各層を構成する複数の導体を交互に反対方向に撚り合わせて構成する。第３層以降も同様に反対方向に撚り合わせて構成する。この導体構成だと、使用中の外力によりケーブルが右方向に捻回したときは、前記第１層を構成する複数の導体が「撚りが緩む方向」に動作し、前記第２層を構成する複数の導体が「撚りが絞まる方向」に動作する。また、ケーブルが左方向に捻回したときは、夫々逆方向に動作する。この動作がケーブルの捻回とともに繰り返し行われると、互いに反対方向に撚り合わせられた前記第１層及び前記第２層を構成する複数の導体が干渉して強く擦れ合うようになり、これにより主として内側の第１層を構成する複数の導体が早く断線する可能性がある。そして、これが原因となって、ケーブルが断線する可能性がある。
【０００７】
したがって、本発明の目的は、ケーブルの外径を大きくすることなくケーブルの耐捻回性を向上させることができ、これによりケーブルの断線を抑制してケーブルの寿命を向上させることができる耐捻回性ケーブルを提供することにある。
【課題を解決するための手段】
【０００８】
上記目的を達成するために請求項１の発明は、複数の素線を撚り合わせて構成した導体を用いて、中心層を構成する前記導体の周りに複数の前記導体を全層同方向に撚り合わせるか、或いは、中心層を構成する前記導体と共に複数の前記導体を全て同方向に撚り合わせることにより構成した可とう性導体と、前記可とう性導体の上方において複数の金属素線と非金属素線を交織編組することにより構成した遮蔽層とを備えてなることを特徴とする耐捻回性ケーブルを提供する。
【０００９】
この耐捻回性ケーブルによれば、上記構成を採用することにより、特に、複数の素線を撚り合わせて構成した導体を用いて、中心層を構成する前記導体の周りに複数の前記導体を全層同方向に撚り合わせるか、或いは、中心層を構成する前記導体と共に複数の前記導体を全て同方向に撚り合わせることにより構成した可とう性導体を採用することにより、ケーブルが捻回したときは、そのように撚り合わせられた複数の導体が、ケーブルの捻回方向により「撚りが緩む方向」に動作するか「撚りが絞まる方向」に動作するかどちらか一方の動作となり、従来技術のところで述べたように「撚りが緩む方向」と「撚りが絞まる方向」の両方に動作とならないため、これら複数の導体が干渉して強く擦れ合うことが緩和され、この結果、これらの導体の断線を抑制することができるので、ケーブルの外径を構造的に大きくすることなくケーブルの耐捻回性を向上させることができる。そして、これによりケーブルの断線を抑制してケーブルの寿命を向上させることができる。
【００１０】
また、複数の金属素線と非金属素線を交織編組することにより構成した遮蔽層を採用することにより、金属素線のみ編組した場合と比較して、遮蔽層を構成する金属素線の金属素線同士の擦れによる断線を抑制することができる。これは、ケーブルの耐捻回性の向上効果を補完するものである。
【００１１】
請求項２の発明は、前記素線の撚り合わせ方向が、前記導体の撚り合わせ方向と同一方向であることを特徴とする請求項１に記載の耐捻回性ケーブルを提供する。
【００１２】
この耐捻回性ケーブルによれば、上記効果に加えて、上記構成を採用することにより、すなわち、素線の撚り合わせ方向が、導体の撚り合わせ方向と同一方向である構成を採用することにより、要するに、導体を構成する素線の撚り合わせから導体の撚り合わせまで全て同方向に撚り合わせることにより、上記効果をより確実に向上させることができる。
【００１３】
請求項３の発明は、前記遮蔽層を構成する前記複数の金属素線の編組時の打ち出し角度が、６０°以上であることを特徴とする請求項１又は２に記載の耐捻回性ケーブルを提供する。
【００１４】
上記において、複数の金属素線の編組時の打ち出し角度が、６０°以上であるとする理由は、この打ち出し角度が６０°未満だと、複数の金属素線を十分に移動性に富む状態で編組することができないからである。この打ち出し角度は、大きくするほど複数の金属素線を移動性に富む状態で編組することができ、これらの複数の金属素線の断線を抑制してケーブルの耐捻回性を向上させることができるので好ましいが、その分編組量が増加してコストアップとなるため、ケーブルの捻回角度や期待する効果等を考慮して適宜調整することが望ましい。
【００１５】
この耐捻回性ケーブルによれば、上記効果に加えて、上記構成を採用することにより、すなわち、遮蔽層を構成する複数の金属素線の編組時の打ち出し角度が６０°以上である構成を採用することにより、従来のように遮蔽層を構成する複数の金属素線を撚り線とする代わりに、その打ち出し角度をもって複数の金属素線を移動性に富む状態で編組することができ、これによりこれら複数の金属素線の断線を抑制することができるので、従来のように遮蔽層の厚さを厚くすることなく、したがってケーブルの外径を大きくすることなく、ケーブルの耐捻回性を向上させることができる。そして、これによりケーブルの断線を抑制してケーブルの寿命を向上させることができる。また、ケーブルの細径化を図ることも可能になる。
【発明の効果】
【００１６】
本発明の耐捻回性ケーブルによれば、ケーブルの外径を大きくすることなく、ケーブルの耐捻回性を向上させることができ、これによりケーブルの断線を抑制してケーブルの寿命を向上させることができる。
【図面の簡単な説明】
【００１７】
【図１】本発明の一実施の形態に係る耐捻回性ケーブルの概略構造を示す斜視図である。
【図２】本発明に関し、耐捻回性ケーブルを構成する可とう性導体の概略構造を示す説明図である。
【図３】本発明の効果を検証するための試験用ケーブルの概略構造を示す斜視図である。
【図４】本発明に関し、耐捻回性ケーブルの繰り返し捻回試験方法を示す説明図である。
【図５】本発明に関し、耐捻回性ケーブルを構成する遮蔽層の概略構造を示す説明図である。
【発明を実施するための形態】
【００１８】
以下、本発明の好適な実施の形態を図１〜５に基づいて詳述する。
上記したように、図１は、本発明の一実施の形態に係る耐捻回性ケーブルの概略構造を示す斜視図である。この図１において、１は可とう性導体、２は内部電界緩和層、３は絶縁層、４は外部電界緩和層、５は遮蔽層、６は押さえテープ巻き層、７はシース、８は耐捻回性ケーブルを夫々示す。
【００１９】
ここで、前記可とう性導体１は、図２に示すように、複数の素線（図示せず）を撚り合わせて構成した導体９を用いて、中心層を構成する１本の導体９の周りに６本の導体９を同方向（図中⇒の太い矢印方向）に撚り合わせる（同心撚り）か、或いは、中心層を構成する１本の導体９と共に６本の導体９を全て同方向（図中→の細い矢印方向）に撚り合わせて（集合撚り）構成する。この導体構造は、要するに、複数の素線を撚り合わせて構成した導体９の複数を更に同方向に撚り合わせて構成した、いわゆる複合撚りと呼ばれる構造である。しかも、図示しない素線の撚り合わせ方向と、導体９の撚り合わせ方向を、同一方向として構成する。
【００２０】
なお、同心撚りでは、中心層を構成する１本の導体９は、これを積極的に撚り合わせなくても、その周りに撚り合わせられた６本の導体９と共に同方向に撚り合わせた場合と同じように扱うことができる。また、この同心撚りでは、中心層を構成する１本の導体９の周りに、複数の導体９を撚り合わせて構成した撚り合わせ層を何層も設けて、全層同方向に撚り合わせるように構成しても良い。
【００２１】
この耐捻回性ケーブル８によれば、既に述べた通り、複数の素線（図示せず）を撚り合わせて構成した導体９を用いて、中心層を構成する１本の導体９の周りに６本の導体９を同方向に撚り合わせるか、或いは、中心層を構成する導体９と共に６本の導体を全て同方向に撚り合わせることにより構成した可とう性導体１を採用することにより、ケーブル８が捻回したときは、そのように撚り合わせられた複数の導体９が、ケーブル８の捻回方向により「撚りが緩む方向」に動作するか「撚りが絞まる方向」に動作するかどちらか一方の動作となり、従来技術のところで述べたように「撚りが緩む方向」と「撚りが絞まる方向」の両方の動作とならないため、これら複数の導体９が干渉して強く擦れ合うことが緩和され、この結果、これらの導体９の断線を抑制することができるので、ケーブルの外径を構造的に大きくすることなくケーブルの耐捻回性を向上させることができる。そして、これによりケーブルの断線を抑制してケーブルの寿命を向上させることができる。
【００２２】
一方、前記可とう性導体１の上方において、前記外部電界緩和層４の周りに形成された前記遮蔽層５は、図５に示すように、複数の金属素線１０と非金属素線１１を交織編組することにより構成する。すなわち、編組機を用いて外部電界緩和層４の周りに複数の金属素線１０と非金属素線１１を交互に反対方向に編み込んで、遮蔽層５を構成する。また、遮蔽層５を構成する複数の金属素線１０の編組時の打ち出し角度θを６０°以上とする。なお、ここで、金属素線１０としては、例えば錫めっき軟銅線を用い、非金属素線１１としては、例えば綿糸を用いる。
【００２３】
この耐捻回性ケーブル８によれば、既に述べた通り、遮蔽層５を構成する複数の金属素線１０の編組時の打ち出し角度を６０°以上とすることにより、従来のように遮蔽層を構成する複数の金属素線を撚り線とする代わりに、その打ち出し角度をもって複数の金属素線１０を移動性に富む状態で編組することができ、これにより複数の金属素線１０の断線を抑制することができるので、従来のように遮蔽層の厚さを厚くすることなく、したがってケーブルの外径を大きくすることなく、ケーブルの耐捻回性を向上させることができる。そして、これによりケーブルの断線を抑制してケーブルの寿命を向上させることができる。また、ケーブルの細径化を図ることも可能になる。
【００２４】
また、本発明においては、この耐捻回性ケーブル８を３本撚り合わせてトリプレックス構造の耐捻回性ケーブルとして用いることができ、これによりケーブルとして電気的な不平衡を生じないようにすることができる。
【実施例】
【００２５】
（実施例１）
図３に示すように、図１の耐捻回性ケーブル８を模擬した試験用ケーブル１２を作製した。この試験用ケーブル１２は、可とう性導体１３の上に順次セパレータ１４、絶縁層１５、シース１６を設けて構成したものである。前記可とう性導体１３としては、複数の錫めっき軟銅線を撚り合わせて構成した導体を用いて、中心層を構成する前記導体の周りに複数の前記導体を全層同方向に撚り合わせることにより構成した。また、前記導体を構成する複数の錫めっき軟銅線の撚り合わせ方向と、複数の前記導体の撚り合わせ方向を、いずれも同一方向とした。
【００２６】
次いで、この試験用ケーブル１２を用いて、図４に示すように、ケーブルの繰り返し捻回試験方法を行った。すなわち、長さ３ｍの試験用ケーブル１２の一端を上方に設けた固定金具１７で固定して、試験用ケーブル１２を吊り下げると共に、試験用ケーブル１２の他端に重り１８を吊るし、試験用ケーブル１２に１０ｋｇの垂直荷重を掛けた。この状態で試験用ケーブル１２を±１２０°／ｍの範囲で図中矢印方向に繰り返し捻回した。
【００２７】
この結果、５万回の繰り返し捻回試験では錫めっき軟銅線に断線は発生せず、１０万回の繰り返し捻回試験でようやく可とう性導体１３の中心部分の錫めっき軟銅線に断線が見られるようになった。このとき、断線率は錫めっき軟銅線全体の２．７％であった。
【００２８】
（実施例２）
図１の耐捻回性ケーブル８において、遮蔽層５を構成する複数の金属素線１０の編組時の打ち出し角度θを６０°とすると共に、金属素線１０として錫めっき軟銅線を用いた耐捻回性ケーブルを用意し、この耐捻回性ケーブルを３本撚り合わせてトリプレックス構造の耐捻回性ケーブルを作製した。なお、金属素線１０と共に遮蔽層５を構成する非金属素線１１としては、綿糸を用いた。
【００２９】
この耐捻回性ケーブルを用いて、上記同様の繰り返し捻回試験方法を行った。但し、耐捻回性ケーブルの他端に吊るした重りにより、耐捻回性ケーブルに１２０ｋｇの垂直荷重を掛けると共に、耐捻回性ケーブルを±４５°／ｍの範囲で、１００００回繰り返し捻回した。
【００３０】
この結果、トリプレックス構造を構成する耐捻回性ケーブルの３本（３線芯）共、遮蔽層を構成する錫めっき軟銅線に編組の乱れやキンクは発生せず、断線も見られなかった。
【００３１】
（比較例１）
実施例１で用いた試験用ケーブル１２について、可とう性導体を構成する各層の、複数の導体を反対方向に撚り合わせて構成した以外は実施例１と同様の試験用ケーブルを作製した。
【００３２】
この試験用ケーブルを用いて、実施例１と同様に繰り返し捻回試験方法を行った。
【００３３】
この結果、５万回の繰り返し捻回試験で可とう性導体内層部の錫めっき軟銅線がほぼ全て断線した。また、このとき、断線率は錫めっき軟銅線全体の３０％であった。
【００３４】
（比較例２）
実施例２で用いたトリプレックス構造の耐捻回性ケーブルについて、遮蔽層を構成する錫めっき軟銅線の編組時の打ち出し角度θを３０°とした以外は実施例２と同様の耐捻回性ケーブルを作製した。
【００３５】
この耐捻回性ケーブルを用いて、実施例２と同様に繰り返し捻回試験方法を行った。但し、耐捻回性ケーブルの他端に吊るした重りを変えることにより、耐捻回性ケーブルに９０ｋｇの垂直荷重を掛けると共に、耐捻回性ケーブルを±４５°／ｍの範囲で、５０００回繰り返し捻回した。
【００３６】
この結果、トリプレックス構造を構成する耐捻回性ケーブルの３本（３線芯）共、遮蔽層を構成する錫めっき軟銅線に編組の乱れやキンクが発生し、部分的に断線も見られた。
【００３７】
上記実施例、比較例より、本発明による耐捻回性ケーブルによれば、中心層を構成する導体の周りに複数の導体を全層同方向に撚り合わせて可とう性導体を構成することにより、また、複数の金属素線と非金属素線を交織編組して遮蔽層を構成することにより、ケーブルの外径を大きくすることなく、ケーブルの耐捻回性を向上させることができることが分かる。また、前記遮蔽層を構成する複数の金属素線の編組時の打ち出し角度θを６０°以上とすることにより、複数の金属素線を移動性に富む状態で編組することができ、これによりケーブルの外径を大きくすることなく、ケーブルの耐捻回性を向上させることができることが分かる。
【００３８】
本発明は、以上の実施の形態の限定されることなく、その発明の範囲において種々の改変が可能であることは言うまでもない。
【符号の説明】
【００３９】
１、１３  可とう性導体
２  内部電界緩和層
３、１５  絶縁層
４  外部電界緩和層
５  遮蔽層
６  押さえテープ巻き層
７、１６  シース
８  耐捻回性ケーブル
９  導体
１０  金属素線
１１  非金属素線
１２  試験用ケーブル
１４  セパレータ
１７  固定金具
１８  重り
【図１】
2011009097.tif 000003
【図２】
2011009097.tif 000004
【図３】
2011009097.tif 000005
【図４】
2011009097.tif 000006
【図５】
2011009097.tif 000007